(57)【要約】【課題】開封口の確認が不要であり、かつ、比較的小さな力で開封できるカップ型容器を提案する。【解決手段】カップ型容器を、上方に向けて開放された口部を有するカップ型断面形状をなす容器本体１と、この容器本体１の口部の外周縁に一体連結するフランジ部１ｃとを備えたもので構成する。そして、フランジ部１ｃに少なくともフィルム２を溶着して容器本体１の口部を密閉するとともに、フランジ部１ｃに、フィルム２の一部分が溶着され、該フランジ部１ｃからの切り離しを可能に連結する切り離し舌片３を設ける。切り離し舌片３には、フランジ部１ｃの全域を外縁端において取り囲み、もぎりリブ６を介して切り離し可能に固定保持されるリング５を設ける。【選択図】図２
2010195446.tif 000002
【特許請求の範囲】
【請求項１】
上方に向けて開放された口部を有するカップ型断面形状をなす容器本体と、この容器本体の口部の外周縁に一体連結するフランジ部とを備え、該フランジ部にフィルムを溶着して容器本体の口部を密閉するカップ型容器であって、
前記フランジ部に、少なくともフィルムの一部分が溶着され、該フランジ部からの切り離しを可能に連結する切り離し舌片を設け、
該切り離し舌片に、フランジ部の全域を外縁端において取り囲み、もぎりリブを介して該外縁端に切り離し可能に固定保持される把手形成用のリングを設けたことを特徴とするカップ型容器。
【請求項２】
前記フランジ部と把手形成用のリングとの相互間に、該リングの上端面がフランジ部の上端面よりも低くなる段差を設けた、請求項１記載のカップ型容器。
【発明の詳細な説明】
【技術分野】
【０００１】
本発明は、カップ型容器に関するものであり、該容器の容易な開封を実現しようとするものである。
【背景技術】
【０００２】
プリンやゼリー、アイスクリーム等の水菓子類やコーヒーや牛乳等の乳飲料を入れるのに用いられるカップ型の容器は、口部にアルミ製あるいは樹脂製のシートを貼り付けることによって密封するようになっている。
【０００３】
ところで、かかるシートには、容器の開封を容易ならしめるために、摘み片が設けられているものの、そのサイズが小さいために力を入れにくく、容器の開封がしにくいという不具合があった。
【０００４】
上記のような不具合の解消を図った先行技術としては、容器の口部を取り囲むリングを配置し、シートの一部分を該リングに溶着一体化し、その部位の反対側からリングを切断、それを把手として機能させることでシートを引き剥がすようにしたリング付きの容器が知られている（特許文献1参照）。しかしながら、従来のリング付き容器は、該リングと密封用のシートがどの部位で一体化しているか目視でもって判別しにくく（どの部位を把持して開封してよいかわかり難い）、その改善が求められていた。
【先行技術文献】
【特許文献】
【０００５】
【特許文献１】実公平３−３５０３号公報
【発明の概要】
【発明が解決しようとする課題】
【０００６】
本発明の課題は、従来のカップ型容器において生じていた不具合を解消するとともに、比較的小さな力を付与するのみで簡単に開封ができるカップ型容器を提案するところにある。
【課題を解決するための手段】
【０００７】
本発明は、上方に向けて開放された口部を有するカップ型断面形状をなす容器本体と、この容器本体の口部の外周縁に一体連結するフランジ部とを備え、該フランジ部にフィルムを溶着して容器本体の口部を密閉するカップ型容器であって、
前記フランジ部に、少なくともフィルムの一部分が溶着され、該フランジ部からの切り離しを可能に連結する切り離し舌片を設け、
該切り離し舌片に、フランジ部の全域を外縁端において取り囲み、もぎりリブを介して該外縁端に切り離し可能に固定保持される把手形成用のリングを配設したことを特徴とするカップ型容器である。
【０００８】
上記の構成になるカップ型容器においては、フランジ部と把手形成用のリングとの間には、該リングの上端面がフランジ部の上端面よりも低くなり離反部位を形成する段差を設けておくことができる。
【発明の効果】
【０００９】
フィルムの一部分を接着した切り離し舌片は、目視によって容易に把握することができるものであり、この切り離し舌片が存在する対向位置でリングを引き上げてそれ自身を把手として利用することによりフィルムの容易な引き剥がしが可能となる。
【００１０】
また、フィルムをフランジ部とリングとの全域を覆った場合には、フィルムの熱融着あるいは貼着に際して位置合わせが容易となる。
【００１１】
さらに、リングの上端面がフランジ部の上端面よりも低くなる段差を設けると、リングとフィルムが熱融着あるいは貼着されないので、容器の開封に際してリングの引き上げが容易となる。
【図面の簡単な説明】
【００１２】
【図１】本発明にしたがうカップ型容器の実施の形態を側面ついて模式的に示した図である。
【図２】図１の平面を示した図である。
【図３】（ａ）は図２のＡ−Ａ断面を示した図であり、（ｂ）は図２のＢ−Ｂ断面を示した図である。
【図４】リングを引き起こした状態を示した図である。
【図５】本発明にしたがうカップ型容器の他の実施の形態を示した図である。
【図６】（ａ）（ｂ）は図５のＡ−Ａ断面、Ｂ−Ｂ断面を示した図である。
【図７】本発明にしたがうカップ型容器のさらに他の実施の形態を示した図である。
【図８】（ａ）（ｂ）は図７のＡ−Ａ断面、Ｂ−Ｂ断面を示した図である。
【発明を実施するための形態】
【００１３】
以下、図面を用いて本発明をより具体的に説明する。
図１は、本発明にしたがうカップ型容器の実施の形態を側面について模式的に示した図であり、図２は図１の平面を示した図であり、さらに、図３（ａ）（ｂ）は図１のＡ−Ａ断面、Ｂ−Ｂ断面を示した図である。
【００１４】
図における１は容器本体である。この容器本体１は、底部を形成する壁部１ａと、この壁部１ａの縁部に一体連結してその内側に内容物の収納空間Ｍを形成する周壁１ｂと、この周壁１ｂの上端部に一体連結するフランジ部１ｃから構成されており、該フランジ部１ｃの内側において容器の口部を形成している。ここに、容器本体１は、円形状や角形状等のカップ型が好ましく、とくに容器形体については限定されない。
【００１５】
２は、容器本体１のフランジ部１ｃに熱溶着あるいは接着剤で貼着されて容器の口部を密閉するフィルム、３はフランジ部１ｃの切欠凹部１ｃ１に設けられた切り離し舌片である。この切り離し舌片３は複数箇所のもぎりリブ４によって切欠凹部１ｃ１に破断可能に一体連結しており、フィルム２の一部分２ａ（凸状部）は、その上面部に張り付いた状態（融着や接着剤による貼着等）になっている。
【００１６】
５はフランジ部１ｃの全域を外縁端において取り囲むように配置されたリングである。このリング５はもぎりリブ６を介して切り離し可能に固定保持されており、容器を開封する際に把手として機能する。
【００１７】
上記の構成になる容器においては、切り離し舌片３が存在する反対側のリングの部位Ｔ部に手指を掛けて、図４に示すように、切り離し舌片３を起点に引き起こす（手前側に折り曲げる）ことで該リング５を把手として利用できるものであり、該リング５をそのまま引き上げることにより切り離し舌片３が破断され、フランジ部１ｃからフィルム２が引き剥がされることになる。
【００１８】
本発明にしたがうカップ型容器は、基本的には合成樹脂によって成形（射出成形等）されるものであり、容器本体１と切り離し舌片３及びリング５は一体物であって、容器の効率的な製造が可能となる。
【００１９】
切り離し舌片３をフランジ部１ｃの切欠凹部１ｃ１につなぎ止めておくもぎりリブ４は、該切り離し舌片３の幅方向端部の両側に設けておくのが最もよい（もぎりリブ４を起点に切り離し舌片３を回動させやすくなる）が、切欠凹部１ｃ１の切り込み端に設けることも可能であり、この点については限定されない。
【００２０】
図５、６（ａ）（ｂ）は本発明にしたがうカップ型容器の他の実施の形態を示した図である。この例は、フィルム２をフランジ部１ｃの全域を覆う円形状とし、切り離し舌片３と重ね合わさった部位を熱融着、あるいは貼着したものである。このような構造のものにおいてはフィルム２の熱融着、貼着に際して位置合わせが簡単になる利点がある。
【００２１】
さらに、図７、図８（ａ）（ｂ）は、本発明にしたがうカップ型容器のさらに他の実施の形態を示した図である。この例は、リング５の上端面がフランジ部１ｃの上端面よりも低くなるような段差ｔを形成（図８（ｂ）参照）し、リング５の縁部に至るまでの径を有するフィルム２を配置した構造（熱融着部位あるいは貼着部位はフランジ部１ｃと、該フランジ部１ｃと同一レベルになる切り離し舌片３の上端面となる。）のものである。この構造のものにおいては、リング５とフランジ部１ｃとの間に形成される隙間にゴミなどが付着するのを回避できる。また、リング５を引き上げる際、該リング５とフィルム２が熱融着あるいは貼着されていないので、邪魔になることがない。
【産業上の利用可能性】
【００２２】
どこの部位を把持して開封すればよいか一目でわかる易開封性のカップ型容器が提供できる。
【符号の説明】
【００２３】
１      容器本体
１ａ    壁部
１ｂ    周壁
１ｃ    フランジ部
２      フィルム
３      切り離し舌片
４      もぎりリブ
５      リング
６      もぎりリブ
Ｍ      収納空間
ｔ      段差
【図１】
2010195446.tif 000003
【図２】
2010195446.tif 000004
【図３】
2010195446.tif 000005
【図４】
2010195446.tif 000006
【図５】
2010195446.tif 000007
【図６】
2010195446.tif 000008
【図７】
2010195446.tif 000009
【図８】
2010195446.tif 000010